【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
印刷に用いるデータを格納したデータ記憶制御装置を示す格納先情報が記憶された特定情報記憶装置を識別する識別情報を記憶するデータ記憶制御装置と、前記データが格納された前記格納先情報を記憶する特定情報記憶装置とを含む印刷システムであって、
前記特定情報記憶装置は、
前記特定情報記憶装置に記憶された前記格納先情報を削除する第１の削除手段
を備え、
前記データ記憶制御装置は、
前記第１の削除手段による前記格納先情報の削除に応じて、前記データ記憶制御装置に記憶された前記識別情報であって、当該格納先情報が記憶された前記特定情報記憶装置を識別する識別情報を削除する第２の削除手段
を備えることを特徴とする印刷システム。
【請求項２】
前記データ記憶制御装置は、
前記印刷システムにログイン中のユーザの印刷可能なデータが当該データ記憶制御装置に記憶されているかを判定する判定手段と、
前記判定手段で前記印刷可能なデータが前記データ記憶制御装置に記憶されていると判定されなかった場合に、前記特定情報記憶装置に対して、前記格納先情報の削除通知を行う通知手段と
を備えることを特徴とする請求項１に記載の印刷システム。
【請求項３】
前記第１の削除手段は、前記判定手段で前記印刷可能なデータが前記データ記憶制御装置に記憶されていると判定された場合に、前記格納先情報を削除しないことを特徴とする請求項２に記載の印刷システム。
【請求項４】
前記データ記憶制御装置に格納される印刷に用いるデータを印刷する画像形成装置を含む印刷システムであって、
前記画像形成装置は、
前記印刷に用いるデータの削除指示を行う指示手段
を備え、
前記データ記憶制御装置の通知手段は、前記指示手段による前記印刷に用いるデータの削除指示を受け付けた場合に、前記格納先情報の削除通知を行うことを特徴とする請求項２または３に記載の印刷システム。
【請求項５】
前記指示手段は、前記格納先情報に対応する格納先が前記画像形成装置である場合には削除指示を行わないことを特徴とする請求項４に記載の印刷システム。
【請求項６】
前記第１の削除手段は、前記データ記憶制御装置からの指示に基づき、前記特定情報記憶装置に記憶された前記格納先情報を削除することを特徴とする請求項１乃至５のいずれか１項に記載の印刷システム。
【請求項７】
印刷に用いるデータを格納したデータ記憶制御装置を示す格納先情報が記憶された特定情報記憶装置を識別する識別情報を記憶するデータ記憶制御装置と、前記データが格納された前記格納先情報を記憶する特定情報記憶装置とを含む印刷システムの制御方法であって、
前記特定情報記憶装置が、
前記特定情報記憶装置に記憶された前記格納先情報を削除する第１の削除ステップ
を実行し、
前記データ記憶制御装置が、
前記第１の削除ステップによる前記格納先情報の削除に応じて、前記データ記憶制御装置に記憶された前記識別情報であって、当該格納先情報が記憶された前記特定情報記憶装置を識別する識別情報を削除する第２の削除ステップ
を実行することを特徴とする印刷システムの制御方法。
【請求項８】
印刷に用いるデータを格納したデータ記憶制御装置を示す格納先情報が記憶された特定情報記憶装置を識別する識別情報を記憶するデータ記憶制御装置であり、特定情報記憶装置に記憶された前記格納先情報を削除する第１の削除手段を備える特定情報記憶装置と通信可能なデータ記憶制御装置であって、
前記第１の削除手段による前記格納先情報の削除に応じて、前記データ記憶制御装置に記憶された前記識別情報であって、当該格納先情報が記憶された前記特定情報記憶装置を識別する識別情報を削除する第２の削除手段
を備えることを特徴とするデータ記憶制御装置。
【請求項９】
印刷に用いるデータを格納したデータ記憶制御装置を示す格納先情報が記憶された特定情報記憶装置を識別する識別情報を記憶するデータ記憶制御装置であり、特定情報記憶装置に記憶された前記格納先情報を削除する第１の削除手段を備える特定情報記憶装置と通信可能なデータ記憶制御装置の制御方法であって、
前記第１の削除手段による前記格納先情報の削除に応じて、前記データ記憶制御装置に記憶された前記識別情報であって、当該格納先情報が記憶された前記特定情報記憶装置を識別する識別情報を削除する第２の削除ステップ
を含むことを特徴とするデータ記憶制御装置の制御方法。
【請求項１０】
印刷に用いるデータを格納したデータ記憶制御装置を示す格納先情報が記憶された特定情報記憶装置を識別する識別情報を記憶するデータ記憶制御装置であり、特定情報記憶装置に記憶された前記格納先情報を削除する第１の削除手段を備える特定情報記憶装置と通信可能なデータ記憶制御装置を制御するプログラムであって、
前記第１の削除手段による前記格納先情報の削除に応じて、前記データ記憶制御装置に記憶された前記識別情報であって、当該格納先情報が記憶された前記特定情報記憶装置を識別する識別情報を削除する第２の削除手段
として機能させるためのプログラム。
【請求項１１】
印刷に用いるデータを格納するデータ記憶制御装置と、前記印刷に用いるデータの格納先情報を記憶する特定情報記憶装置とを含む印刷システムであって、
前記データ記憶制御装置は、
前記印刷に用いるデータを削除する第１の削除手段
を備え、
前記特定情報記憶装置は、
前記第１の削除手段による前記印刷に用いるデータの削除に応じて、当該印刷に用いるデータの前記格納先情報を削除する第２の削除手段
を備えることを特徴とする印刷システム。
【請求項１２】
印刷に用いるデータを格納するデータ記憶制御装置と、前記印刷に用いるデータの格納先情報を記憶する特定情報記憶装置とを含む印刷システムの制御方法であって、
前記データ記憶制御装置が、
前記印刷に用いるデータを削除する第１の削除ステップ
を実行し、
前記特定情報記憶装置が、
前記第１の削除手段による前記印刷に用いるデータの削除に応じて、当該印刷に用いるデータの前記格納先情報を削除する第２の削除ステップ
を実行することを特徴とする印刷システムの制御方法。
【請求項１３】
印刷に用いるデータの格納先情報を記憶する特定情報記憶装置であり、前記印刷に用いるデータを格納し、前記印刷に用いるデータを削除する第１の削除手段を備えるデータ記憶制御装置と通信可能な特定情報記憶装置であって、
前記第１の削除手段による前記印刷に用いるデータの削除に応じて、当該印刷に用いるデータの前記格納先情報を削除する第２の削除手段
を備えることを特徴とする特定情報記憶装置。
【請求項１４】
印刷に用いるデータの格納先情報を記憶する特定情報記憶装置であり、前記印刷に用いるデータを格納し、前記印刷に用いるデータを削除する第１の削除手段を備えるデータ記憶制御装置と通信可能な特定情報記憶装置の制御方法であって、
前記第１の削除手段による前記印刷に用いるデータの削除に応じて、当該印刷に用いるデータの前記格納先情報を削除する第２の削除ステップ
を含むことを特徴とする特定情報記憶装置の制御方法。
【請求項１５】
印刷に用いるデータの格納先情報を記憶する特定情報記憶装置であり、前記印刷に用いるデータを格納し、前記印刷に用いるデータを削除する第１の削除手段を備えるデータ記憶制御装置と通信可能な特定情報記憶装置を制御するプログラムであって、
前記第１の削除手段による前記印刷に用いるデータの削除に応じて、当該印刷に用いるデータの前記格納先情報を削除する第２の削除手段
として機能させるためのプログラム。
【手続補正２】
【補正対象書類名】明細書
【補正対象項目名】００１１
【補正方法】変更
【補正の内容】
【００１１】
そこで、本発明の目的は、印刷システムに係る情報の管理を適切に行うことである。
【手続補正３】
【補正対象書類名】明細書
【補正対象項目名】００１２
【補正方法】変更
【補正の内容】
【００１２】
本発明の目的を達成するために、印刷システムは、印刷に用いるデータを格納したデータ記憶制御装置を示す格納先情報が記憶された特定情報記憶装置を識別する識別情報を記憶するデータ記憶制御装置と、前記データが格納された前記格納先情報を記憶する特定情報記憶装置とを含む印刷システムであって、前記特定情報記憶装置は、前記特定情報記憶装置に記憶された前記格納先情報を削除する第１の削除手段を備え、前記データ記憶制御装置は、前記第１の削除手段による前記格納先情報の削除に応じて、前記データ記憶制御装置に記憶された前記識別情報であって、当該格納先情報が記憶された前記特定情報記憶装置を識別する識別情報を削除する第２の削除手段を備えることを特徴とする。
【手続補正４】
【補正対象書類名】明細書
【補正対象項目名】００２０
【補正方法】変更
【補正の内容】
【００２０】
本発明によれば、印刷システムに係る情報の管理を適切に行うことが可能となる。